(57)【要約】【課題】本発明は、データ転送装置と無線端末装置とに関し、伝送品質が高められ、かつ安定に維持されることを目的とする。【解決手段】トランスポート層を介して与えられたパケットに含まれるデータを宛先毎に蓄積するバッファ手段と、このように蓄積されて宛先が共通であるデータが所定の個数Ｐずつ含まれ、かつトランスポート層と下位の複数ｎの層とのヘッダを含むフレームを生成するフレーム生成手段と、そのフレームが区分されて配置され、無線伝送網における複数ｎの層の下位の層のヘッダが個別に付加されて構成されたスロットの列を無線伝送する送信手段と、データの宛先毎に、これらの宛先に該当する無線局と連係して無線伝送の過程で誤りが生じた頻度を求め、かつ個数Ｐをその個数Ｐとこの頻度との比未満に更新し、トランスポート層と下位の層とのインタフェースを再構築する制御手段とを備えて構成される。【選択図】      図１
2005020401.tif 000002
【特許請求の範囲】
【請求項１】
蓄積交換方式またはメッセージ交換方式が適用された網のトランスポート層を介して与えられたパケットに配置されたデータを宛先毎に蓄積するバッファ手段と、
前記バッファ手段に蓄積されて前記宛先が共通であるデータが所定の個数Ｐずつ含まれ、かつ前記トランスポート層と、そのトランスポート層の下位の論理的な複数ｎの層とのヘッダを含むフレームを生成するフレーム生成手段と、
前記フレーム生成手段によって生成されたフレームが区分されて配置され、かつ前記網との網間インタフェースがとられるべき無線伝送網における前記複数ｎの層の下位の論理的な層のヘッダが個別に付加されて構成されたスロットの列を無線伝送する送信手段と、
前記スロットの列に含まれるデータの宛先毎に、これらの宛先に該当する無線局と連係することによって前記無線伝送の過程で誤りが生じた頻度を求め、かつ前記個数Ｐをその個数Ｐとこの頻度との比未満に更新すると共に、前記トランスポート層と、そのトランスポート層の下位の論理的な層との間のインタフェースを再構築する制御手段と
を備えたことを特徴とするデータ転送装置。
【請求項２】
蓄積交換方式またはメッセージ交換方式が適用された網のトランスポート層を介して与えられたパケットに配置されたデータを宛先毎に蓄積するバッファ手段と、
前記データに代わる疑似データが所定の個数Ｐずつ含まれ、かつ前記トランスポート層と、そのトランスポート層の下位の論理的な複数ｎの層とのヘッダを含むフレームを生成するフレーム生成手段と、
前記フレーム生成手段によって生成されたフレームが区分されて配置され、かつ前記網との網間インタフェースがとられるべき無線伝送網における前記複数ｎの層の下位の論理的な層のヘッダが個別に付加されて構成されたスロットの列を無線伝送する送信手段と、
前記スロットの列に含まれるデータの宛先毎に、これらの宛先に該当する無線局と連係することによって前記無線伝送の過程で誤りが生じた頻度を求め、かつ前記トランスポート層と、そのトランスポート層の下位の論理的な層とのインタフェースを確立する制御手段とを備え、
前記フレーム生成手段は、
前記インタフェースが確立した宛先毎に、前記バッファ手段に蓄積されたデータが前記個数Ｐと前記頻度との比未満の数ずつ前記疑似データに代えて含まれ、かつ前記トランスポート層と、前記複数ｎの層とのヘッダを含むフレームを生成する
を備えたことを特徴とするデータ転送装置。
【請求項３】
蓄積交換方式またはメッセージ交換方式が適用された網のトランスポート層を介して与えられたパケットに配置されたデータを宛先毎に蓄積するバッファ手段と、
前記宛先である無線局が応答可能な速度で個数Ｐをその個数Ｐの値域で更新し、かつ前記バッファ手段に蓄積されて前記宛先が共通であるデータがこの個数Ｐずつ含まれると共に、前記トランスポート層と、そのトランスポート層の下位の論理的な複数ｎの層とのヘッダを含むフレームを生成するフレーム生成手段と、
前記フレーム生成手段によって生成されたフレームが区分されて配置され、前記網との網間インタフェースがとられるべき無線伝送網における前記複数ｎの層の下位の論理的な層のヘッダが個別に付加されて構成されたスロットの列を無線伝送する送信手段と、
前記スロットの列に含まれるデータの宛先毎に、これらの宛先に該当する無線局と連係することによって前記無線伝送の過程で誤りが生じた頻度を監視し、その頻度が既定の上限値以下となった個数に前記個数Ｐを確定すると共に、前記トランスポート層と、そのトランスポート層の下位の論理的な層との間のインタフェースを再構築する制御手段と
を備えたことを特徴とするデータ転送装置。
【請求項４】
蓄積交換方式またはメッセージ交換方式が適用された網のトランスポート層を介して与えられたパケットに配置されたデータを宛先毎に蓄積するバッファ手段と、
前記宛先である無線局が応答可能な速度で個数Ｐをその個数Ｐの値域で更新し、かつ前記データに代わる疑似データがこの個数Ｐずつ含まれると共に、前記トランスポート層と、そのトランスポート層の下位の論理的な複数ｎの層とのヘッダを含むフレームを生成するフレーム生成手段と、
前記フレーム生成手段によって生成されたフレームが区分されて配置され、かつ前記網との網間インタフェースがとられるべき無線伝送網における前記複数ｎの層の下位の論理的な層のヘッダが個別に付加されて構成されたスロットの列を無線伝送する送信手段と、
前記スロットの列に含まれるデータの宛先毎に、これらの宛先に該当する無線局と連係することによって前記無線伝送の過程で誤りが生じた頻度を監視し、その頻度が既定の上限値以下となった個数に前記個数Ｐを確定すると共に、前記トランスポート層と、そのトランスポート層の下位の論理的な層とのインタフェースを確立する制御手段とを備え、
前記フレーム生成手段は、
前記インタフェースが確立した宛先毎に、前記バッファ手段に蓄積されたデータが前記確定された個数Ｐずつ前記疑似データに代えて含まれ、かつ前記トランスポート層と、前記複数ｎの層とのヘッダを含むフレームを生成する
を備えたことを特徴とするデータ転送装置。
【請求項５】
請求項３または請求項４に記載のデータ転送装置において、
前記フレーム生成手段は、
前記値域の全域に亘って前記個数Ｐを更新し、
前記制御手段は、
前記全域に亘って監視された頻度の内、最小となった頻度に対応する個数に前記個数Ｐを更新する
ことを特徴とするデータ転送装置。
【請求項６】
蓄積交換方式またはメッセージ交換方式が適用された網のトランスポート層を介して与えられたパケットに配置されたデータを宛先毎に蓄積するバッファ手段と、
前記宛先である無線局が応答可能な速度で個数Ｐをその個数Ｐの値域で更新し、かつ前記バッファ手段に蓄積されて前記宛先が共通であるデータがこの個数Ｐずつ含まれると共に、前記トランスポート層と、そのトランスポート層の下位の論理的な複数ｎの層とのヘッダを含むフレームを生成するフレーム生成手段と、
前記フレーム生成手段によって生成されたフレームが区分されて配置され、前記網との網間インタフェースがとられるべき無線伝送網における前記複数ｎの層の下位の論理的な層のヘッダが個別に付加されて構成されたスロットの列を無線伝送する送信手段と、
前記スロットの列に含まれるデータの宛先毎に、これらの宛先に該当する無線局と連係することによって前記無線伝送の過程で生じた誤りを監視し、その誤りの頻度が既定の上限値以下となった個数に前記個数Ｐを確定すると共に、前記トランスポート層と、そのトランスポート層の下位の論理的な層との間のインタフェースを再構築する制御手段と
を備えたことを特徴とするデータ転送装置。
【請求項７】
蓄積交換方式またはメッセージ交換方式が適用された網のトランスポート層を介して与えられたパケットに配置されたデータを宛先毎に蓄積するバッファ手段と、
前記宛先である無線局が応答可能な速度で個数Ｐをその個数Ｐの値域で更新し、かつ前記データに代わる疑似データがこの個数Ｐずつ含まれると共に、前記トランスポート層と、そのトランスポート層の下位の論理的な複数ｎの層とのヘッダを含むフレームを生成するフレーム生成手段と、
前記フレーム生成手段によって生成されたフレームが区分されて配置され、かつ前記網との網間インタフェースがとられるべき無線伝送網における前記複数ｎの層の下位の論理的な層のヘッダが個別に付加されて構成されたスロットの列を無線伝送する送信手段と、
前記スロットの列に含まれるデータの宛先毎に、これらの宛先に該当する無線局と連係することによって前記無線伝送の過程で誤りが生じた誤りを監視し、その誤りの頻度が既定の上限値以下となった個数に前記個数Ｐを確定すると共に、前記トランスポート層と、そのトランスポート層の下位の論理的な層とのインタフェースを確立する制御手段とを備え、
前記フレーム生成手段は、
前記インタフェースが確立した宛先毎に、前記バッファ手段に蓄積されたデータが前記確定された個数Ｐずつ前記疑似データに代えて含まれ、かつ前記トランスポート層と、前記複数ｎの層とのヘッダを含むフレームを生成する
を備えたことを特徴とするデータ転送装置。
【請求項８】
請求項６または請求項７に記載のデータ転送装置において、
前記フレーム生成手段は、
前記値域の全域に亘って前記個数Ｐを更新し、
前記制御手段は、
前記全域に亘って監視された誤りの頻度の内、最小となった頻度に対応する個数に前記個数Ｐを更新する
ことを特徴とするデータ転送装置。
【請求項９】
請求項１ないし請求項８の何れか１項に記載のデータ転送装置において、
前記制御手段の配下で前記バッファ手段、前記フレーム生成手段および前記送信手段によって行われる処理と反対の処理を行い、その処理の手順に基づいて前記網間インタフェースを双方向について行うインタフェース手段を備え、
前記制御手段は、
前記個数Ｐ、またはその個数Ｐの換算値を前記反対の処理に適用する
ことを特徴とするデータ転送装置。
【請求項１０】
無線伝送路から到来したスロットの列を組み合わせることによってパケットを復元し、所望のプロセスまたはホストにそのパケットを引き渡すスロット引き渡し手段と、
前記スロット毎の正規性の判別を行い、その判別の結果をこのスロットの送信端に逐次通知する応答手段と
を備えたことを特徴とする無線端末装置。
【請求項１１】
無線伝送路から到来したスロットの列を組み合わせることによってパケットを復元し、所望のプロセスまたはホストにそのパケットを引き渡すスロット引き渡し手段と、
前記スロット毎に正規であるか否かの判別を行い、その判別の結果の頻度または比率をこのスロットの送信端に逐次通知する応答手段と
を備えたことを特徴とする無線端末装置。
【請求項１２】
請求項９または請求項１０に記載の無線端末装置において、
前記送信端から通知される前記スロットの形式を識別するスロット形式識別手段を備え、
前記応答手段は、
前記スロットの形式毎に前記判別を行う
ことを特徴とする無線端末装置。
【発明の詳細な説明】
【０００１】
【発明の属する技術分野】
本発明は、蓄積交換方式またはメッセージ交換方式が適用された網と無線伝送路とのインタフェースをとるデータ転送装置と、そのデータ転送装置を介してこの網にアクセス可能な無線端末装置とに関する。
【０００２】
【従来の技術】
ＦＷＡ（Ｆｉｘｅｄ  Ｗｉｒｅｌｅｓｓ  Ａｃｃｅｓｓ）システムは、準ミリ波帯の無線周波数帯が適用されることによって、回線の敷設に要するコスト（工事に所要する期間を含む。）の増加や技術的な制約に妨げられることなく、１０メガビット／秒程度の速度によるデータ伝送がポイント・ツー・マルチポイントで可能であるため、近年、ブロードバンドサービスの提供を受ける多数の加入者が収容される場合にも積極的に適用されている。
【０００３】
図４は、ＦＷＡシステムの構成例を示す図である。
図において、アクセスポイント（ＡＰ）１０−１、１０−２は、それぞれ異なる地域に無線ゾーン１１−１、１１−２を形成する。これらの無線ゾーン１１−１、１１−２には、それぞれ加入者の宅内に個別に設置された端末（１２−１１〜１２−１ｍ）、（１２−２１〜１２−２ｎ）が位置する。
【０００４】
アクセスポイント１０−１には、下記の要素から構成された基地局装置１０Ｅ−１が設置される。
・  有線伝送路１３−１を介して有線ネットワーク１４（ここでは、簡単のため、インタネットであると仮定する。）に接続された信号処理部１５−１
・  この信号処理部１５−１に縦続接続されたアクセス制御部１６−１および無線部１７−１
・  その無線部１７−１のアンテナ端子に給電点が接続されたアンテナ１８−１
アクセスポイント１０−２の構成については、アクセスポイント１０−１の構成と同じであるので、以下では、対応する要素に添え番号「２」が付加された同じ符号を付与し、ここでは、その説明および図示を省略する。
【０００５】
なお、以下では、アクセスポイント１０−１、１０−２に共通の事項については、添え番号「１」、「２」の何れにも該当し得ることを意味する添え文字「Ｃ」を第一の添え番号に代えて符号に付加することによって記述する。
また、以下では、端末１２−１１〜１２−１ｍ、１２−２１〜１２−２ｎに共通の事項については、第一の添え番号に代えて上述した添え文字「Ｃ」を付加し、かつ第二の添え番号に代えて、添え番号「１」〜「ｍ」、「１」〜「ｎ」の何れにも該当し得ることを意味する添え文字「ｃ」を付加することによって記述する。
【０００６】
端末１２−Ｃｃ  は、基地局装置１０Ｅ−Ｃに備えられたアクセス制御部１６−Ｃが主導的に行う媒体アクセス制御（ＭＡＣ  ：  Ｍｅｄｉａ  Ａｃｃｅｓｓ  Ｃｏｎｔｒｏｌ）の下で、無線部１７−Ｃおよびアンテナ１８−Ｃを介してそのアクセス制御部１６と連係することによって、このアクセス制御部１６との間に後述するＭＡＣフレーム上に無線伝送路を確保する。
【０００７】
なお、このような無線伝送路については、例えば、下記の通りにＴＤＤ（Ｔｉｍｅ  Ｄｉｖｉｓｉｏｎ  Ｄｕｐｌｅｘ）／ＴＤＭＡ（Ｔｉｍｅ  Ｄｉｖｉｓｉｏｎ  Ｍｕｌｔｉｐｌｅ  Ａｃｃｅｓｓ）方式に適合し、かつ時系列の順にサイクリックに配置されたタイムスロットの内、単一の上りリンクと単一の下りリンクに対応するタイムスロットの対として形成される。
【０００８】
・  時系列の順に隣接して配置され、かつ３つの上りのリンクにそれぞれ対応する３つのタイムスロット（以下、「上りＭＡＣスロット」という。）
・  これらの３つの「上りＭＡＣスロット」に時系列の順に隣接して配置され、かつ３つの下りのリンクにそれぞれ対応する３つのタイムスロット（以下、「下りＭＡＣスロット」という。）
なお、これらの「上りＭＡＣスロット」と「下りＭＡＣスロット」とのヘッダについては、以下では、簡単のため、干渉や妨害に起因する伝送品質が低い場合であっても、確度高く正常に受信されることを目的として、「そのヘッダ以外のフィールドに比べて、所要ＣＮ比が低い変調方式」に基づいて生成されると仮定する。
【０００９】
基地局装置１０Ｅ−Ｃでは、信号処理部１５−Ｃは、アクセス制御部１６−Ｃと連係することによって、既定の論理リンク制御（ＬＬＣ  ：  Ｌｏｇｉｃａｌ  Ｌｉｎｋ  Ｃｏｎｔｒｏｌ）を行うことによって、上述した媒体アクセス制御を実現するＭＡＣ層と、そのＭＡＣ層の上位のネットワーク層およびトランスポート層（ここでは、簡単のため、ＩＰおよびＴＣＰが適用されると仮定する。）とのインタフェースをとり、かつ有線ネットワークとの間における伝送情報のパケット単位の引き渡しを実現する。
【００１０】
なお、以下では、このような論理リンク制御が行われる層については、簡単のため、「ＬＬＣ層」（上述したＭＡＣ層とトランスポート層との間に介在する。）と称する。
このようにして有線ネットワーク１４と端末１２−Ｃｃ  との間に形成された通信路の内、例えば、下りの通信路では、下記の通りに伝送情報の引き渡しが達成される。
【００１１】
信号処理部１５−Ｃは、有線伝送路１３−Ｃを介して有線ネットワークからＴＣＰ（Ｔｒａｎｓｍｉｓｓｉｏｎ  Ｃｏｎｔｒｏｌ  Ｐｒｏｔｏｃｏｌ）  に基づいて引き渡されたパケットを順次取り込みつつ下記の処理を適宜反復する。
（１）  上述したパケットの宛先（ここでは、簡単のため、信号処理部１５−Ｃがそのパケットに含まれるＩＰアドレスとして識別すると仮定する。）毎に対応したファーストイン・ファーストアウト方式のバッファメモリ（信号処理部１５−Ｃに備えられる。）上に、これらのパケットに配置されたデータ（以下、「ＴＣＰデータ」という。）を順次蓄積する。
【００１２】
（２）  このような共通の宛先に対応するバッファメモリから所定の個数（ここでは、簡単のため、物理的に許容される最大の値である「４」であると仮定する。）ずつＴＣＰデータを読み出し、かつ図５（ａ）  に示すように、これらのＴＣＰデータに、上述したトランスポート層、ネットワーク層およびＬＬＣ層にそれぞれ対応するヘッダ（以下、それぞれ「ＴＣＰヘッダ」、「ＩＰヘッダ」および「イーサヘッダ」という。）に併せて、そのＬＬＣ層に対応したトレーラ（以下、「イーサトレーラ」という。）を付加することによって、「イーサフレーム」を生成する。
【００１３】
また、アクセス制御部１６−Ｃは、このようにして「イーサフレーム」が生成される度に下記の処理を行う。
（１）  その「イーサフレーム」を既定の整数（ここでは、簡単のため、「４」であると仮定する。）分の一の語長に分割することによって、「第一の部分フレーム」ないし「第四の部分フレーム」を生成する（図５（ｂ））。
【００１４】
（２）  これらの「第一の部分フレーム」ないし「第四の部分フレーム」に個別に上述した「ＭＡＣ層」のヘッダ（以下、「ＭＡＣヘッダ」という。）を付加することによって、「第一のＭＡＣスロット」ないし「第四のＭＡＣスロット」を生成する（図５（ｃ））。
（３）  既述の媒体アクセス制御の下で確保され、かつ該当する宛先に割り付けられた無線伝送路に該当する「下りＭＡＣスロット」に、上述した第一「のＭＡＣスロット」ないし第四の「ＭＡＣスロット」を順次配置する（図５（ｄ））ことによって、無線部１７−Ｃおよびアンテナ１８−Ｃを介して端末１２−Ｃｃ  宛にこれらの第一の「ＭＡＣスロット」ないし第四の「ＭＡＣスロット」を送信する。
【００１５】
一方、端末１２−Ｃｃ  は、上述した「下りＭＡＣスロット」を介して受信された個々の「ＭＡＣスロット」を順次蓄積し、かつ下記の処理を行う。
・  基地局装置１０Ｅ−１において既述の通りに行われた処理の反対の処理（図５（ｄ）〜（ａ））を行うことによって、トランスポート層に整合したパケットの復元を図る。
【００１６】
・  このようなパケットの復元が可能であった場合には、そのパケットを所定のプロセスやホストに引き渡し、かつ無線基地局装置１０Ｅ−Ｃ宛に、その旨を示すメッセージＡＣＫを送出する。
・  無線伝送路において生じた干渉や妨害に起因して上述したパケットの復元ができなかった場合には、無線基地局装置１０Ｅ−Ｃ宛に、その旨を示すメッセージＮＡＣＫを送出する。
【００１７】
したがって、端末１２−Ｃｃ  は、例えば、図４に点線で示すように、有線ネットワーク１４に接続されたサーバによってダウンロードされ、その有線ネットワーク１４に併せて、有線伝送路１３−ｃおよび基地局装置１０Ｅ−Ｃを介してパケットの列として引き渡された所望の情報を取得することができる。
【特許文献１】
特開２０００−３２４１７８号公報（要約）
【非特許文献１】
Ａ．  Ｂａｋｒｅ，  Ｂ．Ｒ．  Ｂａｒｄｒｉｎａｔｈ，”Ｈａｎｄｏｆｆ  ａｎｄ  Ｓｙｓｔｅｍｓ  Ｓｕｐｐｏｒｔ  ｆｏｒ  Ｉｎｄｉｒｅｃｔ  ＴＣＰ／ＩＰ，”Ｉｎ  Ｐｒｏｃｅｅｄｉｎｇ  ｏｆ  ｔｈｅ  Ｓｅｃｏｎｄ  ＵＳＥＮＩＸ  Ｓｙｍｐｏｓｉｕｍ  ｏｎ  Ｍｏｂｉｌｅ  ａｎｄ  Ｌｏｃａｔｉｏｎ  Ｉｎｄｅｐｅｎｄｅｎｔ  Ｃｏｍｐｕｔｉｎｇ，Ａｐｒｉｌ  １９９５．
【００１８】
【発明が解決しようとする課題】
ところで、上述したＦＷＡシステムでは、下りＭＡＣスロット（無線伝送路）の伝搬損失が降雨や降雪に起因して広範に変化し得る準ミリ波帯の無線周波数が適用されるために、例えば、回線設計や置局設計に際して下記の方針が適用されることによって既定の回線品質の維持に必要なシステムマージンが確保される。
【００１９】
・  無線基地局１０Ｅ−Ｃだけではなく、端末１２−Ｃｃ  の送信電力が高く設定される。
・  利得が高いアンテナが積極的に適用される。
また、このようなＦＷＡシステムの基地局装置（アクセスポイント）は、近年、急速に進展しつつあるブロードバンド化の要求や需要の下で、地理的に密に設置される可能性が高くなりつつある。
【００２０】
しかし、このように密に無線基地局が設置された場合には、個々の無線基地局が既述のＴＤＤ／ＴＤＭＡ方式に基づく無線伝送路の形成を非同期に行うために、図６に網掛けを付して示すように、無線基地局１０Ｅ−Ｃによって形成される無線ゾーン１１−Ｃに設置された端末１２−Ｃｃ  に、その無線基地局１０Ｅ−Ｃ以外の無線基地局から到来した無線周波信号に起因して、ほぼ一定の周期（以下、「ビート周期」という。）で干渉や妨害が発生する可能性が高かった。
【００２１】
さらに、このような干渉や妨害は、一般に、その要因となる無線周波信号の伝搬路の損失が著しく小さい地点に設置された端末では、「定常的に伝送品質が低下し、かつ上述した有線ネットワーク１４に対するアクセスに際して後述するＩ・ＴＣＰが有効に作動しない要因」となる可能性が高かった。
なお、無線ネットワークは、一般的に、有線ネットワーク１４に比べて伝送品質が広範に変化し得るために、その有線ネットワーク１４に適応したＴＣＰプロトコルが直接適用された場合には、このような有線ネットワーク１４では発生し得ない挙動を示す可能性がある。
【００２２】
例えば、有線伝送路１３−Ｃ、無線基地局１０Ｅ−Ｃおよび下りＭＡＣスロットを介して端末１２−Ｃｃ  宛に、上述したサーバによってＴＣＰ／ＩＰプロトコルに基づいて所望のデータがダウンロードされている過程では、この下りＭＡＣスロットを介する無線周波信号の伝搬は、その端末１２−Ｃｃ  のシャドーイング等に起因して一時的に妨げられ得る。
【００２３】
しかし、このような状態では、一般に、端末によって送信された応答（ＡＣＫ信号）がサーバに伝達されないために、ＴＣＰに基づく通信制御の下で実体のない輻輳が識別され、その輻輳に応じて起動された「指数バックオフ」の下で最長で１分に亘る長いインターバルによる再送制御が行われるために、伝送効率が極端に低下する可能性が高かった。
【００２４】
なお、このような伝送効率の低下は、例えば、既述の特許文献１および非特許文献１として開示されるように、有線ネットワークと無線ネットワークとのインタフェースをとる無線基地局においてＴＣＰパスを終端し、そのＴＣＰパスを介して伝送されるべきパケットの宛先毎にそのＴＣＰパスを分割すると共に、これらのパケットを宛先毎に蓄積しつつ引き渡す技術（以下、「Ｉ・ＴＣＰ」という。）が適用されることによって回避され得る。
【００２５】
しかし、このような「Ｉ・ＴＣＰ」が適用された無線基地局では、端末との間に形成された無線伝送路の特性の変動に柔軟に適応するために、下記の煩雑な処理が行われなければならない。
・  有線ネットワークから引き渡されたパケットを所定のバッファメモリに蓄積する。
【００２６】
・  そのパケットの宛先である端末に代わってこのパケットの送信元と連係する（例えば、「応答を返す。」）。
・  これらのパケットの宛先との間に個別に形成された無線伝送路の状態を監視し、これらの無線伝送路の内、正常な無線伝送路が割り付けられた端末のみが宛先に該当するパケットを上記のバッファメモリから読み出し、かつ順次送信する。
【００２７】
本発明は、基本的な構成が大幅に変更されることなく、伝送品質が確度高く高められ、かつ安定に維持されるデータ伝送装置および無線端末装置を提供することを目的とする。
【００２８】
【課題を解決するための手段】
請求項１に記載の発明では、バッファ手段は、蓄積交換方式またはメッセージ交換方式が適用された網のトランスポート層を介して与えられたパケットに配置されたデータを宛先毎に蓄積する。フレーム生成手段は、バッファ手段に蓄積されて宛先が共通であるデータが所定の個数Ｐずつ含まれ、かつトランスポート層と、そのトランスポート層の下位の論理的な複数ｎの層とのヘッダを含むフレームを生成する。送信手段は、フレーム生成手段によって生成されたフレームが区分されて配置され、かつ網との網間インタフェースがとられるべき無線伝送網における複数ｎの層の下位の論理的な層のヘッダが個別に付加されて構成されたスロットの列を無線伝送する。制御手段は、スロットの列に含まれるデータの宛先毎に、これらの宛先に該当する無線局と連係することによって無線伝送の過程で誤りが生じた頻度を求め、かつ個数Ｐをその個数Ｐとこの頻度との比未満に更新すると共に、トランスポート層と、そのトランスポート層の下位の論理的な層との間のインタフェースを再構築する。
【００２９】
すなわち、複数のスロットに分割されて無線伝送されるフレームに含まれるデータの数Ｐは、その無線伝送に供される無線伝送路で干渉や妨害に起因して正常に受信されないスロットの頻度が大きいほど、小さな値に設定される。
したがって、無線伝送路の状態が定常的である限り、このような数Ｐが一定であった従来例に比べて、正常に受信されても該当するスロットに分割されて伝送されたフレームの復元に有効に活用されず、あるいは再送信の対象となるスロットの数が確実に減少し、かつ伝送効率が高められる。
【００３０】
請求項２に記載の発明では、バッファ手段は、蓄積交換方式またはメッセージ交換方式が適用された網のトランスポート層を介して与えられたパケットに配置されたデータを宛先毎に蓄積する。フレーム生成手段は、データに代わる疑似データが所定の個数Ｐずつ含まれ、かつトランスポート層と、そのトランスポート層の下位の論理的な複数ｎの層とのヘッダを含むフレームを生成する。送信手段は、フレーム生成手段によって生成されたフレームが区分されて配置され、かつ網との網間インタフェースがとられるべき無線伝送網における複数ｎの層の下位の論理的な層のヘッダが個別に付加されて構成されたスロットの列を無線伝送する。制御手段は、スロットの列に含まれるデータの宛先毎に、これらの宛先に該当する無線局と連係することによって無線伝送の過程で誤りが生じた頻度を求め、かつトランスポート層と、そのトランスポート層の下位の論理的な層とのインタフェースを確立する。フレーム生成手段は、インタフェースが確立した宛先毎に、バッファ手段に蓄積されたデータが個数Ｐと頻度との比未満の数ずつ疑似データに代えて含まれ、かつトランスポート層と、複数ｎの層とのヘッダを含むフレームを生成する。
【００３１】
すなわち、複数のスロットに分割されて無線伝送されるフレームに含まれるデータの数Ｐは、そのデータの無線伝送の開始に先行して求められ、この無線伝送に供される無線伝送路で干渉や妨害に起因して正常に受信されないスロットの頻度が大きいほど、小さな値に設定される。
したがって、無線伝送路の状態が定常的である限り、正常に受信されても該当するスロットに分割されて伝送されたフレームの復元に有効に活用されず、あるいは再送信の対象となるスロットの数が確実に減少し、かつ伝送効率が高められると共に、このような数Ｐが上述した値に設定される過程における無用な伝送品質の低下が回避される。
【００３２】
請求項３に記載の発明では、バッファ手段は、蓄積交換方式またはメッセージ交換方式が適用された網のトランスポート層を介して与えられたパケットに配置されたデータを宛先毎に蓄積する。フレーム生成手段は、宛先である無線局が応答可能な速度で個数Ｐをその個数Ｐの値域で更新し、かつバッファ手段に蓄積されて宛先が共通であるデータがこの個数Ｐずつ含まれると共に、トランスポート層と、そのトランスポート層の下位の論理的な複数ｎの層とのヘッダを含むフレームを生成する。送信手段は、フレーム生成手段によって生成されたフレームが区分されて配置され、網との網間インタフェースがとられるべき無線伝送網における複数ｎの層の下位の論理的な層のヘッダが個別に付加されて構成されたスロットの列を無線伝送する。制御手段は、スロットの列に含まれるデータの宛先毎に、これらの宛先に該当する無線局と連係することによって無線伝送の過程で誤りが生じた頻度を監視し、その頻度が既定の上限値以下となった個数に個数Ｐを確定すると共に、トランスポート層と、そのトランスポート層の下位の論理的な層との間のインタフェースを再構築する。
【００３３】
すなわち、複数のスロットに分割されて無線伝送されるフレームに含まれるデータの数Ｐは、その数Ｐに応じて実際に無線伝送されたスロットの列に基づいて実体的に評価され、そのスロットの列に含まれるスロットが干渉や妨害に起因して正常に受信されなかった頻度が大きいほど、小さな値に設定される。
したがって、無線伝送路の状態が定常的である限り、このような数Ｐが一定であった従来例に比べて、正常に受信されても該当するスロットに分割されて伝送されたフレームの復元に有効に活用されず、あるいは再送信の対象となるスロットの数が精度よく減少し、かつ伝送効率が高められる。
【００３４】
請求項４に記載の発明では、バッファ手段は、蓄積交換方式またはメッセージ交換方式が適用された網のトランスポート層を介して与えられたパケットに配置されたデータを宛先毎に蓄積する。フレーム生成手段は、宛先である無線局が応答可能な速度で個数Ｐをその個数Ｐの値域で更新し、かつデータに代わる疑似データがこの個数Ｐずつ含まれると共に、トランスポート層と、そのトランスポート層の下位の論理的な複数ｎの層とのヘッダを含むフレームを生成する。送信手段は、フレーム生成手段によって生成されたフレームが区分されて配置され、かつ網との網間インタフェースがとられるべき無線伝送網における複数ｎの層の下位の論理的な層のヘッダが個別に付加されて構成されたスロットの列を無線伝送する。制御手段は、スロットの列に含まれるデータの宛先毎に、これらの宛先に該当する無線局と連係することによって無線伝送の過程で誤りが生じた頻度を監視し、その頻度が既定の上限値以下となった個数に個数Ｐを確定すると共に、トランスポート層と、そのトランスポート層の下位の論理的な層とのインタフェースを確立する。
【００３５】
フレーム生成手段は、インタフェースが確立した宛先毎に、バッファ手段に蓄積されたデータが確定された個数Ｐずつ疑似データに代えて含まれ、かつトランスポート層と、複数ｎの層とのヘッダを含むフレームを生成する。
すなわち、複数のスロットに分割されて無線伝送されるフレームに含まれるデータの数Ｐは、そのデータの無線伝送の開始に先行して求められ、この無線伝送に供される無線伝送路で干渉や妨害に起因して正常に受信されないスロットの頻度が大きいほど、小さな値に設定される。
【００３６】
したがって、無線伝送路の状態が定常的である限り、正常に受信されても該当するスロットに分割されて伝送されたフレームの復元に有効に活用されず、あるいは再送信の対象となるスロットの数が確実に減少し、かつ伝送効率が高められると共に、このような数Ｐが上述した値に設定される過程における無用な伝送品質の低下が回避される。
【００３７】
請求項５に記載の発明では、フレーム生成手段は、値域の全域に亘って個数Ｐを更新する。制御手段は、全域に亘って監視された頻度の内、最小となった頻度に対応する個数に個数Ｐを更新する。
すなわち、個数Ｐは、その個数Ｐの値域に属する全ての値に設定された状態において個別に監視された頻度が総合的に参照されることによって更新される。
【００３８】
したがって、例えば、干渉や妨害の要因が複数存在し、あるいはその要因となる無線周波信号のレベルや位相が広範に変化するために、個数Ｐに対する上述した頻度の極小点が複数発生し得る場合であっても、伝送品質と伝送効率との双方が高く維持される。
請求項６に記載の発明では、バッファ手段は、蓄積交換方式またはメッセージ交換方式が適用された網のトランスポート層を介して与えられたパケットに配置されたデータを宛先毎に蓄積する。フレーム生成手段は、宛先である無線局が応答可能な速度で個数Ｐをその個数Ｐの値域で更新し、かつバッファ手段に蓄積されて宛先が共通であるデータがこの個数Ｐずつ含まれると共に、トランスポート層と、そのトランスポート層の下位の論理的な複数ｎの層とのヘッダを含むフレームを生成する。送信手段は、フレーム生成手段によって生成されたフレームが区分されて配置され、網との網間インタフェースがとられるべき無線伝送網における複数ｎの層の下位の論理的な層のヘッダが個別に付加されて構成されたスロットの列を無線伝送する。制御手段は、スロットの列に含まれるデータの宛先毎に、これらの宛先に該当する無線局と連係することによって無線伝送の過程で生じた誤りを監視し、その誤りの頻度が既定の上限値以下となった個数に個数Ｐを確定すると共に、トランスポート層と、そのトランスポート層の下位の論理的な層との間のインタフェースを再構築する。
【００３９】
すなわち、個数Ｐの確定に際して参照されるべき頻度は、上述した無線局ではなく、その無線局によってスロット毎に通知され、かつ無線伝送の過程で実際に生じた誤りが制御手段によって総合的に参照されることによって更新される。
したがって、このような頻度が上述した無線局によって求められる場合に比べて、その無線局の構成や機能の簡略化が図られ、かつ既述の請求項１および請求項３に記載の発明と同様に、伝送効率が高められる。
【００４０】
請求項７に記載の発明では、バッファ手段は、蓄積交換方式またはメッセージ交換方式が適用された網のトランスポート層を介して与えられたパケットに配置されたデータを宛先毎に蓄積する。フレーム生成手段は、宛先である無線局が応答可能な速度で個数Ｐをその個数Ｐの値域で更新し、かつデータに代わる疑似データがこの個数Ｐずつ含まれると共に、トランスポート層と、そのトランスポート層の下位の論理的な複数ｎの層とのヘッダを含むフレームを生成する。送信手段は、フレーム生成手段によって生成されたフレームが区分されて配置され、かつ網との網間インタフェースがとられるべき無線伝送網における複数ｎの層の下位の論理的な層のヘッダが個別に付加されて構成されたスロットの列を無線伝送する。制御手段は、スロットの列に含まれるデータの宛先毎に、これらの宛先に該当する無線局と連係することによって無線伝送の過程で誤りが生じた誤りを監視し、その誤りの頻度が既定の上限値以下となった個数に個数Ｐを確定すると共に、トランスポート層と、そのトランスポート層の下位の論理的な層とのインタフェースを確立する。フレーム生成手段は、インタフェースが確立した宛先毎に、バッファ手段に蓄積されたデータが確定された個数Ｐずつ疑似データに代えて含まれ、かつトランスポート層と、複数ｎの層とのヘッダを含むフレームを生成する。
【００４１】
すなわち、個数Ｐの確定に際して参照されるべき頻度は、上述した無線局ではなく、その無線局によってスロット毎に通知され、かつ無線伝送の過程で実際に生じた誤りが制御手段によって総合的に参照されることによって更新される。
したがって、このような頻度が上述した無線局によって求められる場合に比べて、その無線局の構成や機能の簡略化が図られ、かつ既述の請求項２および請求項４に記載の発明と同様に、伝送品質および伝送効率が高められる。
【００４２】
請求項８に記載の発明では、フレーム生成手段は、値域の全域に亘って個数Ｐを更新する。制御手段は、全域に亘って監視された誤りの頻度の内、最小となった頻度に対応する個数に個数Ｐを更新する。
すなわち、個数Ｐは、その個数Ｐの値域に属する全ての値に設定された状態において個別に監視された誤りが総合的に参照され、これらの誤り頻度に基づいて更新される。
【００４３】
したがって、例えば、干渉や妨害の要因が複数存在し、あるいはその要因となる無線周波信号のレベルや位相が広範に変化するために、個数Ｐに対する上述した頻度の極小点が複数発生し得る場合であっても、伝送品質と伝送効率との双方が高く維持される。
請求項９に記載の発明では、インタフェース手段は、制御手段の配下でバッファ手段、フレーム生成手段および送信手段によって行われる処理と反対の処理を行い、その処理の手順に基づいて網間インタフェースを双方向について行う。制御手段は、個数Ｐ、またはその個数Ｐの換算値を反対の処理に適用する。
【００４４】
すなわち、蓄積交換方式またはメッセージ交換方式が適用された網と既述の無線局との間で双方向伝送が行われる場合であっても、その双方向伝送に適用されるべき既述の個数Ｐの更新や確定に要する処理の処理量が削減される。
したがって、構成の簡略化および信頼性の向上に併せて、ランニングコストの削減が図られる。
【００４５】
請求項１０に記載の発明では、スロット引き渡し手段は、無線伝送路から到来したスロットの列を組み合わせることによってパケットを復元し、所望のプロセスまたはホストにそのパケットを引き渡す。応答手段は、スロット毎の正規性の判別を行い、その判別の結果をこのスロットの送信端に逐次通知する。
すなわち、上述した送信端は、その送信端から送信されたスロットが本発明にかかわる無線端末装置において正常に受信されなかった頻度の監視と、その頻度に適応した処理とを所望の手順やアルゴリズムに基づいて行うことができる。
【００４６】
したがって、これらの監視と処理との双方もしくは何れか一方が本発明にかかわる無線端末装置によって行われる場合に比べて、構成の簡略化が図られ、送信端において行われるべき処理の形態の自由度が高く維持される。
請求項１１に記載の発明では、スロット引き渡し手段は、無線伝送路から到来したスロットの列を組み合わせることによってパケットを復元し、所望のプロセスまたはホストにそのパケットを引き渡す。応答手段は、スロット毎に正規であるか否かの判別を行い、その判別の結果の頻度または比率をこのスロットの送信端に逐次通知する。
【００４７】
すなわち、上述した送信端は、その送信端から送信されたスロットが本発明にかかわる無線端末装置において正常に受信されなかった頻度を評価することなく、その頻度に適応した処理を所望の手順やアルゴリズムに基づいて行うことができる。
したがって、このような監視が上述した送信端によって行われる場合に比べて、その送信端の構成の簡略化が図られる。
【００４８】
請求項１２に記載の発明では、スロット形式識別手段は、送信端から通知されるスロットの形式を識別する。応答手段は、スロットの形式毎に判別を行う。
すなわち、上述した送信端から送信されたスロットが本発明にかかわる無線端末装置において正常に受信されなかった頻度は、そのスロットの形式が一定ではない場合であっても、この形式毎に評価される。
【００４９】
したがって、送信端によって無線伝送されるスロットの形式がその送信端によって変更され得る場合であっても、既述の頻度の評価が的確に行われ、その評価の結果に適応したスロットの形式の変更が可能となる。
【００５０】
【発明の実施の形態】
以下、図面に基づいて本発明の実施形態について詳細に説明する。
【００５１】
本発明の実施形態におけるハードウエアの構成については、図４に示す従来例と同じであるので、ここでは、その説明を省略する。
図１は、本発明の第一の実施形態の動作フローチャートである。
図２は、本発明の第一の実施形態の動作を説明する図である。
以下、図１、図２、図４および図５を参照して本発明の第一の実施形態の動作を説明する。
【００５２】
本実施形態の特徴は、基地局装置１０Ｅ−Ｃに備えられた信号処理部１５−Ｃおよびアクセス制御部１６−Ｃにおいて行われる下記の処理の手順にある。
信号処理部１５−Ｃは、有線伝送路１３−Ｃを介して有線ネットワーク１４からＴＣＰ（Ｔｒａｎｓｍｉｓｓｉｏｎ  Ｃｏｎｔｒｏｌ  Ｐｒｏｔｏｃｏｌ）  に基づいて引き渡された個々のパケットを取り込み、そのパケットの宛先（ＩＰアドレス）毎に対応したファーストイン・ファーストアウト方式のバッファメモリ（信号処理部１５−Ｃに備えられる。）上に、これらのパケットに配置されたデータ（以下、「ＴＣＰデータ」という。）を順次蓄積しつつ下記の処理を適宜反復する。
【００５３】
（１）  このようなバッファメモリにパケットが蓄積された順に個々のパケットの宛先（ＩＰアドレス）を重複することなく識別する。
（２）  図５（ａ）  に示すように、「イーサフレーム」に代えて、下記の通りに構成される「疑似イーサフレーム」を生成する。
・  所定の個数Ｍ（ここでは、簡単のため、「１」であると仮定する。）の「疑似ＴＣＰデータ」（「ＴＣＰデータ」の列に代わる。）が「ＴＣＰデータの列」フィールドに配置される。
【００５４】
・  既述の「ＴＣＰヘッダ」、「ＩＰヘッダ」、「イーサヘッダ」および「イーサトレーラ」が付加される。
アクセス制御部１６−Ｃは、このようにして「疑似イーサフレーム」が生成される度に下記の処理を行う。
（１）  その「疑似イーサフレーム」を既定の整数（ここでは、簡単のため、「疑似イーサフレーム」の語長に応じて一義的に定まり、かつ「２」以上であると仮定する。）分の一の語長に分割することによって、第一の「疑似部分フレーム」ないし第ｐの「疑似部分フレーム」を生成する。
【００５５】
（２）  これらの第一の「疑似部分フレーム」ないし第ｐの「疑似部分フレーム」に個別に上述した「ＭＡＣヘッダ」を付加することによって、第一の「疑似ＭＡＣスロット」ないし第ｐの「疑似ＭＡＣスロット」を生成する。
【００５６】
（３）  既述の媒体アクセス制御の下で確保され、かつ該当する宛先に割り付けられた「下りＭＡＣスロット」に、上述した第一の「疑似ＭＡＣスロット」ないし第ｐの「疑似ＭＡＣスロット」を順次配置することによって、無線部１７−Ｃおよびアンテナ１８−Ｃを介して端末１２−Ｃｃ  宛に、これらの第一の「疑似ＭＡＣスロット」ないし第ｐの「疑似ＭＡＣスロット」を既定の回数Ｋ（ここでは、簡単のため、既述の「ビート周期」と「これらの疑似ＭＡＣスロットの時間軸上における幅」との比以上であると仮定する。）に亘って反復して送信する（図１（１））。
【００５７】
端末１２−Ｃｃ  は、このような「下りＭＡＣスロット」を介して到来した個々の「疑似ＭＡＣスロット」に応じて、下記の処理を適宜行う。
・  該当する「疑似ＭＡＣスロット」が正常に受信されたか否かの判別（ここでは、簡単のため、信号空間上において該当する「疑似ＭＡＣスロット」を示すシンボル単位の偏差の分散として評価されると仮定する。）を行う。
【００５８】
・  これらの判別の結果が偽となった頻度（＝判別の結果が偽となった回数／「疑似ＭＡＣスロットが受信された回数の総和」）Ｆを求める。
さらに、端末１２−Ｃｃ  は、上述した「疑似ＭＡＣスロット」の伝送に供された「下りＭＡＣスロット」に対応する「上りＭＡＣスロット」を介して基地局装置１０Ｅ−１宛に、その頻度Ｆを通知する。
【００５９】
基地局装置１０Ｅ−１では、アクセス制御部１６−Ｃは、アンテナ１８−Ｃおよび無線部１７−Ｃを介してその頻度Ｆを受信し、この頻度Ｆの送信元である端末１２−Ｃｃ  に付与されたＩＰアドレスと共に、信号処理部１５−Ｃに引き渡す。
信号処理部１５−Ｃは、このような頻度ＦおよびＩＰアドレスが与えられると、アクセス制御部１６−Ｃと連係することによって、このＩＰアドレスに対応するネットワーク（ＩＰ）層とトランスポート（ＴＣＰ）層との間のコネクションを確立する（図１（２））。
【００６０】
さらに、制御部１５−Ｃは、既述のバッファメモリに蓄積されているＴＣＰデータの内、上述したＩＰアドレスで示される端末宛に伝送されるべきＴＣＰデータを特定し、かつ下記の処理を行う。
（１）  このようにして特定されたＴＣＰデータを上述した頻度Ｆの逆数未満の個数Ｍ（図１（３））ずつバッファメモリから読み出す。
【００６１】
（２）  これらの読み出されたＴＣＰデータを「ＴＣＰデータ列」フィールドに配置し、かつ図５（ａ）  に示すように、既述の「ＴＣＰヘッダ」、「ＩＰヘッダ」、「イーサヘッダ」および「イーサトレーラ」を付加することによって、「イーサフレーム」を生成する。
また、アクセス制御部１６−Ｃは、このようにして「イーサフレーム」が生成される度に下記の処理を行う。
【００６２】
（１）  その「イーサフレーム」のサイズに応じて一義的に定まる整数分の一の語長にこの「イーサフレーム」を分割することによって、複数の「部分フレーム」を生成する（図５（ｂ））。
（２）  これらの「部分フレーム」に個別に上述した「ＭＡＣヘッダ」を付加することによって、複数の「ＭＡＣスロット」を生成する（図５（ｃ））。
【００６３】
（３）  既述の媒体アクセス制御の下で確保され、かつ該当する宛先に割り付けられた「下りＭＡＣスロット」に、上述した「ＭＡＣスロット」を順次配置する（図５（ｄ））ことによって、無線部１７−Ｃおよびアンテナ１８−Ｃを介して端末１２−Ｃｃ  宛にこれらの「ＭＡＣスロット」を順次送信する（図１（４））。
一方、端末１２−Ｃｃ  は、このようにして無線伝送路を介して受信された個々の「ＭＡＣスロット」を順次蓄積し、かつ基地局装置１０Ｅ−１において既述の通りに行われた処理と反対の処理（図５（ｄ）〜（ａ））を行うことによって、トランスポート層に整合したパケットを復元すると共に、これらのパケットを所定のプロセスやホストに引き渡す。
【００６４】
すなわち、複数の「ＭＡＣスロット」に分割されて無線伝送される「イーサフレーム」に含まれるべきＴＣＰデータの数は、その無線伝送に供される無線伝送路で干渉や妨害に起因して正常に受信されない「ＭＡＣスロット」の頻度が大きいほど、小さな値に設定される。
このように本実施形態によれば、上述した無線伝送路の状態が定常的である限り、既述のＴＣＰデータの数Ｐが一定であった従来例に比べて、図２に網掛けを付して示すように、正常に受信されても該当する「ＭＡＣスロット」に分割されて伝送された「イーサフレーム」の復元に有効に活用されず、あるいは再送信の対象となる「ＭＡＣスロット」の数が確実に減少する。
【００６５】
したがって、伝送効率が総合的に高められ、かつ高く維持される。
なお、本実施形態では、既述の所定の個数Ｍの初期値が「１」に設定されている。
しかし、このような初期値は、例えば、無線伝送路の状態や定常的な伝送品質の下で、さらに、小さな値に更新されることがあり得ない程度に小さい限り、複数に設定されてもよい。
【００６６】
また、本実施形態では、上述した「既定の回数Ｋ」が具体的に示されていない。
しかし、このような「既定の回数Ｋ」は、例えば、『下記の何れかの時間内に単一の端末宛に送信され得る「ＭＡＣスロット」の数』以上の値に設定されてもよい。
【００６７】
・  既述のＴＤＤ／ＴＤＭＡ方式が適用された場合において、基地局装置１０Ｅ−Ｃと他の無線基地局とによって非同期に送信される「ＭＡＣフレーム」の周波数の差の最小値の逆数に等しい時間
・  無線伝送区間に適用された通信方式や多元接続方式の如何にかかわらず、障害や妨害に起因してその無線区間に生じる影響の分布が定常と見なされ得る長い時間
さらに、本実施形態では、上述した数Ｍの具体的な値が示されていない。
【００６８】
しかし、このような数Ｍは、例えば、全ての「ＭＡＣスロット」が正常に受信される場合に達成される伝送速度ＢＲと、これらの「ＭＡＣスロット」にかかわる語長Ｌｓおよびヘッダ以外のフィールドの語長Ｌｎとに対して、下式で示される伝送速度ｂｒが所望の伝送速度以上となる最大の値に設定されてもよい。
ｂｒ＝ＢＲ・Ｌｎ／（Ｌｓ・Ｍ）
以下、本発明の第二の実施形態について説明する。
【００６９】
本実施形態と既述の第一の実施形態との相違点は、基地局装置１０Ｅ−Ｃに備えられた信号処理部１５−Ｃおよびアクセス制御部１６−Ｃと、端末１２−Ｃｃ  とが連係することによって後述する通りに行われる処理の手順にある。
図３は、本発明の第二の実施形態の動作フローチャートである。
以下、図３〜図５を参照して本発明の第二の実施形態の動作を説明する。
【００７０】
信号処理部１５−Ｃは、有線伝送路１３−Ｃを介して有線ネットワーク１４からＴＣＰ（Ｔｒａｎｓｍｉｓｓｉｏｎ  Ｃｏｎｔｒｏｌ  Ｐｒｏｔｏｃｏｌ）  に基づいてパケットが引き渡され得る状態では、トランスミッション（ＴＣＰ）層とネットワーク（ＩＰ）層との間におけるコネクション（対応付け）を確立した（図３（１））後に、実際にその有線ネットワーク１４から引き渡された個々のパケットを取り込む。
【００７１】
さらに、信号処理部１５−Ｃは、そのパケットの宛先（ＩＰアドレス）毎に対応したファーストイン・ファーストアウト方式のバッファメモリ（信号処理部１５−Ｃに備えられる。）上に、これらのパケットに配置されたデータ（以下、「ＴＣＰデータ」という。）を順次蓄積しつつ下記の処理を適宜反復する。
（Ａ）  このようなバッファメモリにパケットが蓄積された順に個々のパケットの宛先（ＩＰアドレス）を重複することなく識別する。
【００７２】
（Ｂ）  上述したコネクション（対応付け）毎に対応したレジスタ（以下、「データ数レジスタ」という。）を生成し、そのデータ数レジスタに既定の数Ｍ（ここでは、簡単のため、初期値（＝１）であると仮定する。）を設定する（図３（２））。（Ｃ）  上述したコネクション（対応付け）毎に、下記の処理を並行して行う。
▲１▼  対応するバッファメモリ（共通の宛先にも対応する。）から上記の数Ｍに等しい個数ずつＴＣＰデータを読み出す。
【００７３】
▲２▼  図５（ａ）  に示すように、これらの読み出されたＴＣＰデータを「ＴＣＰデータ列」フィールドに配置し、かつ既述の「ＴＣＰヘッダ」、「ＩＰヘッダ」、「イーサヘッダ」および「イーサトレーラ」を付加することによって、「イーサフレーム」を生成すると共に、その「イーサフレーム」をアクセス制御部１６−Ｃに引き渡す。
【００７４】
また、アクセス制御部１６−Ｃは、このようにして「イーサフレーム」が生成される度に、下記の処理を行う。
（ａ）  既述の第一の実施形態と同様に、その「イーサフレーム」の内容が区分されて配置された複数の「ＭＡＣスロット」を生成する（図５（ｂ）〜（ｃ））  。
（ｂ）  既述の媒体アクセス制御の下で確保され、かつ該当する宛先に割り付けられた「下りＭＡＣスロット」に、上述した「ＭＡＣスロット」を順次配置する（図５（ｄ））ことによって、無線部１７−Ｃおよびアンテナ１８−Ｃを介して端末１２−Ｃｃ  宛にこれらの「ＭＡＣスロット」を順次送信する（図３（３））。
【００７５】
一方、端末１２−Ｃｃ  は、このようにして無線伝送路を介して受信された個々の「ＭＡＣスロット」を順次蓄積し、かつ基地局装置１０Ｅ−１において既述の通りに行われた処理と反対の処理（図５（ｄ）〜（ａ））を行うことによって、トランスポート層に整合したパケットを復元すると共に、これらのパケットを所定のプロセスやホストに引き渡す。
【００７６】
さらに、端末１２−Ｃｃ  は、このような処理に並行して、下記の処理を行う。
・  該当する「ＭＡＣスロット」が正常に受信されたか否かの判別（ここでは、簡単のため、信号空間上において該当する「ＭＡＣスロット」を示すシンボル単位の偏差の分散として評価されると仮定する。）を行う。
【００７７】
・  所定の期間に亘って、これらの判別の結果が偽となった頻度（＝判別の結果が偽となった回数／「疑似ＭＡＣスロットが受信された回数の総和」）Ｆを求める。
・  上述した「ＭＡＣスロット」の伝送に供された「上りＭＡＣスロット」を介して基地局装置１０Ｅ−１宛に、その頻度Ｆを通知する。
【００７８】
基地局装置１０Ｅ−１では、アクセス制御部１６−Ｃは、アンテナ１８−Ｃおよび無線部１７−Ｃを介してその頻度Ｆを受信し、この頻度Ｆの送信元である端末１２−Ｃｃ  に付与されたＩＰアドレスと共に、信号処理部１５−Ｃに引き渡す。
信号処理部１５−Ｃは、これらの頻度ＦとＩＰアドレスとの対をそのＩＰアドレス毎に蓄積し、かつ下記の処理を行う。
【００７９】
（１）  上述した数Ｍがその数Ｍの値域の上限値に等しいか否かの判別（以下、「探索完了判別」という。）を行う（図３（４））。
（２）  その探索完了判別の結果が偽である限り、この数Ｍを既定の増分値（ここでは、簡単のため、「１」であると仮定する。）に亘って大きな数に更新し（図３（５））、かつアクセス制御部１６−Ｃと連係することによって、このＩＰアドレスに対応するネットワーク（ＩＰ）層とトランスポート（ＴＣＰ）層との間のコネクション（対応付け）を更新した（図３（６））後に、既述の処理（Ｃ）▲１▼、▲２▼、（ａ）、（ｂ）を再び行う。
【００８０】
（３）  しかし、上述した探索完了判別の結果が真である場合には、下記の処理を行う。
・  該当するＩＰアドレスに対応付けられて蓄積された頻度Ｆの内、既定の上限値Ｆｕ  未満であり、かつ最大である頻度Ｆｏｐｔ  を特定する（図３（７））。
・  その頻度Ｆｏｐｔ  の逆数未満である整数に既述の数Ｍを設定する（図３（８））。
【００８１】
・  アクセス制御部１６−Ｃと連係することによって、このＩＰアドレスに対応するネットワーク（ＩＰ）層とトランスポート（ＴＣＰ）層との間のコネクション（対応付け）を更新する（図３（９））。
・  このようにして更新された数Ｍを継続して適用することによって、既述の処理（Ｃ）▲１▼、▲２▼、（ａ）、（ｂ）を適宜行う。
【００８２】
すなわち、複数の「ＭＡＣスロット」に分割されて無線伝送される「イーサフレーム」に含まれるべきＴＣＰデータの数Ｍは、アクセス制御部１６−Ｃが既述の値域を主導的に可変する期間に端末１２−Ｃｃ  によって実測され、かつ通知された頻度Ｆに基づいて、適正な値に設定される。
このように本実施形態によれば、基地局装置１０Ｅ−Ｃと端末１２−Ｃｃ  との間に形成された無線伝送路において発生し得る干渉や妨害の定常的な特徴が上述した頻度Ｆに反映される程度に、既述の期間が長い限り、これらの干渉や妨害の要因となる無線周波信号が到来する期間に規則性がなく、もしくはこのような無線周波信号が並行して複数存在し得る場合であっても、正常に受信されても該当する「ＭＡＣスロット」に分割されて伝送された「イーサフレーム」の復元に有効に活用されず、または再送信の対象となる「ＭＡＣスロット」の数が確実に減少する。
【００８３】
したがって、伝送効率が総合的に高められ、かつ安定に高く維持される。
なお、本実施形態では、既述の値域に属するＭ値の全てについて個別に求められた頻度Ｆが参照されることによって、頻度Ｆｏｐｔ  が特定されている。
しかし、このような頻度Ｆｏｐｔ  は、例えば、干渉や妨害が発生する頻度がほぼ一定であり、あるいはこれらの干渉や妨害の要因として到来する無線周波信号の数や位相が広範には変化しない場合には、既述の条件を満たす頻度Ｆｏｐｔ  が特定され次第、Ｍ値が固定されてもよい。
【００８４】
また、上述した各実施形態では、「疑似ＭＡＣスロット」や「ＭＡＣスロット」が正常に受信されたか否かの判別は、信号空間上におけるシンボル単位の偏差の分散に基づいて行われている。
しかし、このような判別は、所望の精度や応答性が確保される限り、物理層における処理に限定されず、例えば、下記の何れの処理として実現されてもよい。
【００８５】
・  単純な振幅成分やレベル（ＭＡＣスロットのヘッダ部分のみについて計測されてもよい。）の値や分布の識別
・  伝送路復号化の手順に基づくビット誤り（その伝送路復号化の過程で修復が不可能なビット誤りが含まれてもよい。）の検出
さらに、上述した各実施形態では、既述の頻度Ｆは、端末１２−Ｃｃ  によって求められ、かつ上りの無線伝送路を介して基地局装置１０Ｅ−Ｃ宛に適宜通知されている。
【００８６】
しかし、このような頻度Ｆは、例えば、端末１２−Ｃｃ  によって「下りＭＡＣスロット」毎に通知され、かつ該当する「下りＭＡＣスロット」が正常に受信されたか否かを示す二値情報（あるいは正常に受信されなかった時に限って通知される情報）が基地局装置１０Ｅ−Ｃにおいて統計的に解析されることによって、求められてよい。
【００８７】
また、このような解析の処理の過程で行われるべき信号処理部１５−Ｃとアクセス制御部１６−Ｃとの機能分散と、端末１２−Ｃｃ  と基地局装置１０Ｅ−Ｃとの連係とにかかわる形態については、如何なるものであってもよい。
さらに、上述した各実施形態では、数Ｍの値を適正な値に設定するために行われるべき一連の処理は、端末１２−Ｃｃ  との間に無線伝送路が形成された（端末１２−Ｃｃ  に「ＭＡＣスロット」が割り付けられた）時点、または始動時に開始されている。
【００８８】
しかし、このような処理は、例えば、既定のデフォルト値にＭ値が設定されることによって開始された端末１２−Ｃｃ  に対する伝送サービスの提供の過程で、上りまたは下りの無線伝送路の伝送品質が所定の下限値を下回ったために、トランスポート（ＴＣＰ）層とネットワーク（ＩＰ）層との間のコネクション（対応付け）が基地局装置１０Ｅ−Ｃと端末１２−Ｃｃ  との双方において解除された時点で開始されてもよい。
【００８９】
また、上述した各実施形態では、端末１２−Ｃｃ  には、コネクション型の通信サービスが提供されている。
しかし、このような通信サービスは、コネクションレス型の通信サービスであってもよい。
さらに、上述した各実施形態では、本発明は、ＴＤＤ／ＴＤＭＡ方式が適用されたＦＷＡシステムに適用されている。
【００９０】
しかし、本発明は、伝送情報を含む所定のフレームが区分され、かつ複数の無線スロットの列として伝送される限り、如何なる多元接続方式、変復調方式、チャネル配置、ゾーン構成およびチャネル構成が適用された無線伝送系にも同様に適用可能である。
また、上述した各実施形態では、非同期に送信を行う他の無線基地局から到来した干渉波や妨害波に起因する干渉・妨害に対する適応と、伝送品質および伝送効率の向上とが図られている。
【００９１】
しかし、本発明は、例えば、以下に列記するように無線伝送路の伝送特性が変動する多様な要因に応じて発生する干渉や妨害にも柔軟に適応可能である。
・  散発的に到来する妨害波や干渉波
・  端末と無線基地局との間の相対的な位置の変化
・  これらの端末と無線基地局との周辺に位置する地物や地形の変位
さらに、上述した各実施形態では、求められた最適な数Ｍは、無線伝送路の下りのリンクのみに適用されている。
【００９２】
しかし、このような数Ｍは、例えば、無線伝送路の下りのリンクと上りのリンクとの双方に基本的に共通の方式または類似した方式（変調方式や多元接続方式が異なってもよい。）が適用されている場合には、上りのリンクにも直接適用され、あるいは所定の換算が施された後に適用されてもよい。
また、本発明は、上述した実施形態に限定されるものではなく、本発明の範囲において多様な実施形態が可能であり、構成装置の全てまたは一部に如何なる改良が施されてもよい。
【００９３】
【発明の効果】
上述したように請求項１、３に記載の発明では、無線伝送路の状態が定常的である限り、従来例に比べて、正常に受信されても該当するスロットに分割されて伝送されたフレームの復元に有効に活用されず、あるいは再送信の対象となるスロットの数が確実に減少し、かつ伝送効率が高められる。
【００９４】
また、請求項２、４に記載の発明では、無線伝送路の状態が定常的である限り、正常に受信されても該当するスロットに分割されて伝送されたフレームの復元に有効に活用されず、あるいは再送信の対象となるスロットの数が確実に減少し、かつ伝送効率が高められると共に、既述の数Ｐが適切な値に設定される過程における無用な伝送品質の低下が回避される。
【００９５】
さらに、請求項５、８に記載の発明では、干渉や妨害の要因が複数存在し、あるいはその要因となる無線周波信号のレベルや位相が広範に変化するために、個数Ｐに対する上述した頻度の極小点が複数発生し得る場合であっても、伝送品質と伝送効率との双方が高く維持される。
また、請求項６、７に記載の発明では、既述の無線局の構成や機能の簡略化が図られ、かつ既述の請求項１ないし請求項４に記載の発明と同様に、伝送効率が高められる。
【００９６】
さらに、請求項９に記載の発明では、構成の簡略化および信頼性の向上に併せて、ランニングコストの削減が可能となる。
また、請求項１０に記載の発明では、構成の簡略化が図られ、かつ既述の送信端において行われるべき処理の形態の自由度が高く維持される。
【００９７】
さらに、請求項１１に記載の発明では、送信端の構成の簡略化が図られる。
また、請求項１２に記載の発明では、送信端によって無線伝送されるスロットの形式がその送信端によって変更され得る場合であっても、既述の頻度の評価が的確に行われ、その評価の結果に適応したスロットの形式の変更が可能となる。
したがって、これらの発明が適用された無線通信システムでは、構成の煩雑化とコストの大幅な増加とを伴うことなく、総合的な信頼性が高められ、かつサービス品質や伝送サービスが高く維持される。
【図面の簡単な説明】
【図１】本発明の第一の実施形態の動作フローチャートである。
【図２】本発明の第一の実施形態の動作を説明する図である。
【図３】本発明の第二の実施形態の動作フローチャートである。
【図４】ＦＷＡシステムの構成例を示す図である。
【図５】有線ネットワークと無線伝送路との間における伝送情報の引き渡しを説明する図である。
【図６】従来例の課題を説明する図である。
【符号の説明】
１０  アクセスポイント（ＡＰ）
１０Ｅ  基地局装置
１１  無線ゾーン
１２  端末
１３  有線伝送路
１４  有線ネットワーク
１５  信号処理部
１６  アクセス制御部
１７  無線部
１８  アンテナ
【図１】
2005020401.tif 000003
【図２】
2005020401.tif 000004
【図３】
2005020401.tif 000005
【図４】
2005020401.tif 000006
【図５】
2005020401.tif 000007
【図６】
2005020401.tif 000008